(57)【要約】      （修正有）【課題】使用時の運搬に力を要しない、丸洗い、もしくは消毒が可能であり、使用する者の体型に合わせて形状を調整できる褥創防止自在枕を提供する。【解決手段】外袋へポリエステル素材の綿を充填し、自在枕として、この自在枕の閉鎖側ａの先を開放口ｂへ挿入し、ドーナッツ形になる褥創防止自在枕１４を構成する。【選択図】図２
0003130592.tif 000002
【実用新案登録請求の範囲】
【請求項１】
女性用ひざ下ショートストッキングのナイロン・ポリウレタン素材を外袋（１１）として使い、その中へポリエステル素材の綿（１２）を充填、自在枕（１３）とし、この自在枕（１３）の閉鎖側の先を開放口へ挿入し、ドーナッツ形になる褥創防止自在枕（１４）。
【請求項２】
上記、褥創防止自在枕（１４）は、女性用ひざ下ショートストッキングのナイロン・ポリウレタン素材（１１）とポリエステル素材の綿（１２）が、安価に購入が可能で、伸縮自在で、丸洗い可能素材。
【請求項３】
上記、褥創防止自在枕（１４）は、安静臥床が長期もしくは、栄養状態の悪い病人が生じる褥創のできる身体部位の体型に、自由に変形して添うことができ、褥創の予防効果が期待できる。
【考案の詳細な説明】
【技術分野】
【０００１】  この考案は、製品を２種類組み合わせて簡易に作成でき、人間の体型に合わせて大きさを調整でき、丸洗いできるドーナッツ型枕に関する。
【背景技術】
【０００２】  従来のこの考案に関連する考案物品は、形状を変化することができないもので、大きさが特定され、一般消毒ができない。
【考案の開示】
【考案が解決しようとする課題】
【０００３】  この考案は、人間の身体各部の体型に添う形状へ変化することが容易にできる。
この考案は、褥創予防のために、ドーナッツ型で内部円形が空洞化、通気性を保持できる。【０００４】  この考案は、丸洗いができ、一般的消毒剤を使用しても、変質しない。【０００５】  本考案は、上記の状況のもとに、安静臥床が長期もしくは、栄養状態の悪い病人が生じる褥創予防を援助することを課題とする。
【課題を解決するための手段】
【０００６】  上記課題を解決するために、外袋１１にしようする素材の大きさをショートのものから、ロングのものまで用意し、使用する者の体型に合わせて、その中へ充填するポリエステル素材の綿１２の量を体型に合わせて調整して、自在枕１３の閉鎖側の先を開放口へ挿入し、ドーナッツ形の褥創防止自在枕１４を構成したものであり、また、上記褥創防止自在枕１４は、そのままの状態で丸洗い、一般的消毒をするものである。
【考案の効果】
【０００７】  上記の如く構成する考案は、褥創防止自在枕の素材に女性用ショートストッキングと、ポリエステル素材の綿を用いることにより、軽量であることから、使用時の運搬に力を要しないものであり、褥創防止自在枕の形状を、使用する者の体型に合わせて調整でき、丸洗い、もしくは消毒が可能であることから、褥創予防ができる。
【考案を実施するための最良の形態】
【０００８】  次にこの考案の実施の形態について図面を参照しながら説明する。図１は、この考案に係る自在枕１３の形状で、外袋１１の中には、充填するポリエステル素材の綿１２を充填している。【０００９】  上記綿１２を充填するときは、外袋１１の伸縮状態を見ながら、使用する者の体型にあわせて、充填量を調整し自在枕１３の形にする。自在枕１３の形状で使用することもできる。【００１０】  自在枕１３を褥創防止自在枕１４へと構成するときは、図２のように、同図（ａ）の閉鎖側の先を、同図（ｂ）の開放口へ挿入する。このときは、使用する者の使用する体型にあわせてドーナッツ形の褥創防止自在枕１４の形状と大きさを決める。同図（ａ）の閉鎖側の先を、同図（ｂ）の開放口へ挿入後、同図（ｂ）の開放口は、同図（ａ）の閉鎖側の先と縫い合わせてもよい。
【産業上の利用可能性】
【００１１】  以上説明したとおりこの考案によれば、軽量で使用時の運搬に力を要しないものであり、褥創防止自在枕の形状を使用する者の体型に合わせて調整でき、丸洗い、もしくは、消毒が可能である。また、使用の外袋は、女性用ショートストッキングを使用し、充填素材はポリエステル素材の綿であることから経済的で、製作が簡単で、人口の高齢化により介護製品として、販路拡大に結びつき産業上の利用価値は大である。
【図面の簡単な説明】
【００１２】
【図１】この考案に係る自在枕１３の形状図
【図２】褥創防止自在枕１４を構成する図であり、ａは自在枕１３の閉鎖側、ｂは自在枕１３の開放口である。
【符号の説明】
【００１３】１１  外袋
１２  綿
１３  自在枕
１４  褥創防止自在枕
【図１】
0003130592.tif 000003
【図２】
0003130592.tif 000004
【手続補正書】
【提出日】平成18年4月26日(2006.4.26)
【手続補正１】
【補正対象書類名】実用新案登録請求の範囲
【補正対象項目名】請求項２
【補正方法】変更
【補正の内容】
【請求項２】
上記、褥創防止自在枕（１４）は、女性用ひざ下ショートストッキングのナイロン・ポリウレタン素材（１１）とポリエステル素材の綿（１２）が、安価に購入が可能で、伸縮自在で、丸洗い可能な請求項１記載の褥創防止自在枕。
【手続補正２】
【補正対象書類名】実用新案登録請求の範囲
【補正対象項目名】請求項３
【補正方法】変更
【補正の内容】
【請求項３】
上記、褥創防止自在枕（１４）は、安静臥床が長期もしくは、栄養状態の悪い病人が生じる褥創のできる身体部位の体型に、自由に変形して添うことができ、褥創の予防効果が期待できる請求項１記載の褥創防止自在枕。
【手続補正書】
【提出日】平成18年6月29日(2006.6.29)
【手続補正１】
【補正対象書類名】実用新案登録請求の範囲
【補正対象項目名】全文
【補正方法】変更
【補正の内容】
【実用新案登録請求の範囲】
【請求項１】
女性用ひざ下ショートストッキングのナイロン・ポリウレタン素材（１１）を外袋として使い、その中へポリエステル素材の綿（１２）を充填、自在枕（１３）とし、この自在枕（１３）の閉鎖側（ａ）の先を開放口（ｂ）へ挿入し、ドーナッツ形になる褥創防止自在枕（１４）。
【請求項２】
請求項１の褥創防止自在枕（１４）は、女性用ひざ下ショートストッキングのナイロン・ポリウレタン素材（１１）とポリエステル素材の綿（１２）の伸縮が自在で、使用する人間の体にそって自在枕（１３）の閉鎖側（ａ）の先を開放口（ｂ）へ挿入する量を調節し、安静臥床が長期もしくは、栄養状態の悪い病人が生じる褥創のできる身体部位の体型に、自由に変形して添うことができ、褥創予防の効果が期待できる。
【請求項３】
請求項１の褥創防止自在枕（１４）は、褥創防止自在枕（１４）の開放口（ｂ）から閉鎖側（ａ）を取り出し、自在枕（１３）に戻して、開放口（ｂ）の口を結んで、家庭用自動洗濯機で丸洗い可能。
【手続補正２】
【補正対象書類名】明細書
【補正対象項目名】全文
【補正方法】変更
【補正の内容】
【考案の詳細な説明】
【技術分野】
【０００１】  この考案は、製品と素材を２種類組み合わせて簡易に作成でき、人間の体型に合わせて大きさを調整でき、丸洗いできるドーナッツ型枕に関する。
【背景技術】
【０００２】  従来のこの考案に関連する考案物品は、形状を変化することができないもので、大きさが特定され、一般消毒ができない。
【考案の開示】
【考案が解決しようとする課題】
【０００３】  この考案は、人間の身体各部の体型に添う形状へ変化することが容易にできる。この考案は、褥創予防のために、ドーナッツ型で内部円形が空洞化、通気性を保持できる。【０００４】  この考案は、丸洗いができ、一般的消毒剤を使用しても、変質しない。【０００５】  この考案は、前述の状況のもとに、安静臥床が長期もしくは、栄養状態の悪い病人が生じる褥創予防を援助することを課題とする。
【課題を解決するための手段】
【０００６】  前述課題を解決するために、ナイロン・ポリウレタン素材（１１）にしようする素材の大きさを短いものから、長いものまで用意し、使用する者の体型に合わせて、その中へ充填するポリエステル素材の綿（１２）の量を体型に合わせて調整して、自在枕（１３）の閉鎖側（ａ）の先を開放口（ｂ）へ挿入し、ドーナッツ形の褥創防止自在枕（１４）を構成したものである。【０００７】  褥創防止自在枕（１４）は、開放口（ｂ）から閉鎖側（ａ）を取り出し、自在枕（１３）に戻して、開放口（ｂ）の口を結んで、丸洗い、一般的消毒をする。
【考案の効果】
【０００８】  前述の如く構成する考案は、褥創防止自在枕（１４）の素材に女性用ショートストッキングのナイロン・ポリウレタン素材（１１）と、ポリエステル素材の綿（１２）を用いることにより、軽量であることから、使用時の運搬に力を要しないものであり、褥創防止自在枕の形状を、使用する者の体型に合わせて調整でき、丸洗い、もしくは消毒が可能であることから、清潔を保持し、褥創予防ができる。
【考案を実施するための最良の形態】
【０００９】  この考案の形態について、図面を参照しながら説明する。図１は、この考案に係る自在枕（１３）の形状で、ナイロン・ポリウレタン素材（１１）の中へ、ポリエステル素材の綿（１２）を充填している。【００１０】  前述、ポリエステル素材の綿（１２）を充填するときは、ナイロン・ポリウレタン素材（１１）の伸縮状態を見ながら、使用する者の体型にあわせて、充填量を調整し自在枕（１３）の形にする。自在枕（１３）の形状のままで使用することもできる。【００１１】  自在枕（１３）を褥創防止自在枕（１４）へと構成するときは、図２のように、同図の閉鎖側（ａ）の先を、同図の開放口（ｂ）へ挿入する。このときは、使用する者の使用する体型にあわせてドーナッツ形の褥創防止自在枕（１４）の形状と大きさを決める。同図の閉鎖側（ａ）の先を、同図の開放口（ｂ）へ挿入後、同図の開放口（ｂ）は、同図の閉鎖側（ａ）の先と縫い合わせてもよい。
【産業上の利用可能性】
【００１２】  前述のとおり説明した、この考案によれば、軽量で使用時の運搬に力を要しないものであり、褥創防止自在枕（１４）の形状を使用する者の体型に合わせて調整でき、丸洗い、もしくは、消毒が可能である。また、女性用ショートストッキングのナイロン・ポリウレタン素材（１１）を使用し、充填素材はポリエステル素材の綿（１２）であることから経済的で、製作が簡単で、人口の高齢化により介護製品として、販路拡大に結びつき産業上の利用価値は大である。
【図面の簡単な説明】
【００１３】
【図１】この考案に係る自在枕（１３）の形状図
【図２】褥創防止自在枕（１４）を構成する図であり、ａは自在枕（１３）の閉鎖側、ｂは自在枕（１３）の開放口である。
【符号の説明】
【００１４】１１  ナイロン・ポリウレタン素材１２  綿１３  自在枕  ａ  閉鎖側  ｂ  開放口１４  褥創防止自在枕
【手続補正３】
【補正対象書類名】図面
【補正対象項目名】全図
【補正方法】変更
【補正の内容】
【図１】
0003130592.tif 000005
【図２】
0003130592.tif 000006
【手続補正書】
【提出日】平成18年9月22日(2006.9.22)
【手続補正１】
【補正対象書類名】実用新案登録請求の範囲
【補正対象項目名】請求項２
【補正方法】変更
【補正の内容】
【請求項２】
上記、褥創防止自在枕（１４）は、女性用ひざ下ショートストッキングのナイロン・ポリウレタン素材（１１）とポリエステル素材の綿（１２）が、安価に購入が可能で、伸縮自在で、丸洗い可能な請求項１記載の褥創防止自在枕。
【手続補正２】
【補正対象書類名】実用新案登録請求の範囲
【補正対象項目名】請求項３
【補正方法】変更
【補正の内容】
【請求項３】
上記、褥創防止自在枕（１４）は、安静臥床が長期もしくは、栄養状態の悪い病人が生じる褥創のできる身体部位の体型に、自由に変形して添うことができ、褥創の予防効果が期待できる請求項１記載の褥創防止自在枕。
【手続補正書】
【提出日】平成18年11月27日(2006.11.27)
【手続補正１】
【補正対象書類名】実用新案登録請求の範囲
【補正対象項目名】全文
【補正方法】変更
【補正の内容】
【実用新案登録請求の範囲】
【請求項１】
女性用ひざ下ショートストッキングのナイロン・ポリウレタン素材を外袋（１１）として使い、その中へポリエステル素材の綿（１２）を充填、自在枕（１３）とし、この自在枕（１３）の閉鎖側の先を開放口へ挿入し、ドーナッツ形になる褥創防止自在枕（１４）。
【手続補正２】
【補正対象書類名】明細書
【補正対象項目名】全文
【補正方法】変更
【補正の内容】
【考案の詳細な説明】
【技術分野】
【０００１】  この考案は、製品と素材を２種類組み合わせて簡易に作成でき、人間の体型に合わせて大きさを調整でき、丸洗いできるドーナッツ型枕に関する。
【背景技術】
【０００２】  従来のこの考案に関連する考案物品は、形状を変化することができないもので、大きさが特定され、一般消毒ができない。
【考案の開示】
【考案が解決しようとする課題】
【０００３】  この考案は、人間の身体各部の体型に添う形状へ変化することが容易にできる。この考案は、褥創予防のために、ドーナッツ型で内部円形が空洞化、通気性を保持できる。【０００４】  この考案は、丸洗いができ、一般的消毒剤を使用しても、変質しない。【０００５】  この考案は、前述の状況のもとに、安静臥床が長期もしくは、栄養状態の悪い病人が生じる褥創予防を援助することを課題とする。
【課題を解決するための手段】
【０００６】  前述課題を解決するために、ナイロン・ポリウレタン素材（１１）にしようする素材の大きさを短いものから、長いものまで用意し、使用する者の体型に合わせて、その中へ充填するポリエステル素材の綿（１２）の量を体型に合わせて調整して、自在枕（１３）の閉鎖側（１５）の先を開放口（１６）へ挿入し、ドーナッツ形の褥創防止自在枕（１４）を構成したものである。【０００７】  褥創防止自在枕（１４）は、開放口（１６）から閉鎖側（１５）を取り出し、自在枕（１３）に戻して、開放口（１６）の口を結んで、丸洗い、一般的消毒をする。
【考案の効果】
【０００８】  前述の如く構成する考案は、褥創防止自在枕（１４）の素材に女性用ショートストッキングのナイロン・ポリウレタン素材（１１）と、ポリエステル素材の綿（１２）を用いることにより、軽量であることから、使用時の運搬に力を要しないものであり、褥創防止自在枕の形状を、使用する者の体型に合わせて調整でき、丸洗い、もしくは消毒が可能であることから、清潔を保持し、褥創予防ができる。
【考案を実施するための最良の形態】
【０００９】  この考案の形態について、図面を参照しながら説明する。図１は、この考案に係る自在枕（１３）の形状で、ナイロン・ポリウレタン素材（１１）の中へ、ポリエステル素材の綿（１２）を充填している。【００１０】  前述、ポリエステル素材の綿（１２）を充填するときは、ナイロン・ポリウレタン素材（１１）の伸縮状態を見ながら、使用する者の体型にあわせて、充填量を調整し自在枕（１３）の形にする。自在枕（１３）の形状のままで使用することもできる。【００１１】  自在枕（１３）を褥創防止自在枕（１４）へと構成するときは、図２のように、同図の閉鎖側（１５）の先を、同図の開放口（１６）へ挿入する。このときは、使用する者の使用する体型にあわせてドーナッツ形の褥創防止自在枕（１４）の形状と大きさを決める。同図の閉鎖側（１５）の先を、同図の開放口（１６）へ挿入後、同図の開放口（１６）は、同図の閉鎖側（１５）の先と縫い合わせてもよい。
【産業上の利用可能性】
【００１２】  前述のとおり説明した、この考案によれば、軽量で使用時の運搬に力を要しないものであり、褥創防止自在枕（１４）の形状を使用する者の体型に合わせて調整でき、丸洗い、もしくは、消毒が可能である。また、女性用ショートストッキングのナイロン・ポリウレタン素材（１１）を使用し、充填素材はポリエステル素材の綿（１２）であることから経済的で、製作が簡単で、人口の高齢化により介護製品として、販路拡大に結びつき産業上の利用価値は大である。
【図面の簡単な説明】
【００１３】
【図１】この考案に係る自在枕（１３）の形状図
【図２】褥創防止自在枕（１４）を構成する図であり、１５は自在枕（１３）の閉鎮側、１６は自在枕（１３）の開放口である。
【符号の説明】
【００１４】  １１  ナイロン・ポリウレタン素材
１２  綿
１３  自在枕
１４  褥創防止自在枕
１５  閉鎖側
１６  開放口
【手続補正３】
【補正対象書類名】図面
【補正対象項目名】全図
【補正方法】変更
【補正の内容】
【図１】
0003130592.tif 000007
【図２】
0003130592.tif 000008